(57)【要約】【課題】貯蔵室ケースに収納する小物収納ケースの設置自由度が高い冷蔵庫を提供する。【解決手段】貯蔵室ケース１ａと、貯蔵室ケース１ａに収納される小物収納ケース２とを備え、貯蔵室ケース１ａは、底面内側に溝４と溝５がそれぞれ平行に形成されており、溝４は、貯蔵室ケース１ａの一方の側面に沿って形成されており、小物収納ケース２は、底面外側にフランジ６とフランジ７とが、形成されており、溝４の短手方向の長さは、小物収納ケース２の短手方向の長さより長く、溝４及び溝５の長手方向と小物収納ケース２の短手方向とが平行になるように収納する場合、フランジ６は溝４に挿入され、フランジ７は溝５に挿入され、溝４及び溝５の短手方向と小物収納ケース２の短手方向が平行となるように収納する場合、小物収納ケース２は溝４に収納される。  【選択図】図４
2011257048.tif 000002
【特許請求の範囲】
【請求項１】
上部に開口している貯蔵室ケースと、
上部に開口しており、前記貯蔵室ケースに収納される小物収納ケースと、
を備え、
前記貯蔵室ケースは、
底面内側に少なくとも第一の溝と第二の溝とを含む複数の溝がそれぞれ平行に形成されており、
前記第一の溝は、前記貯蔵室ケースの一方の側面に沿って形成されており、
前記小物収納ケースは、
底面外側に少なくとも第一のフランジと第二のフランジとを含む複数のフランジが、短手方向に沿って形成されており、
前記第一の溝の短手方向の長さは、前記小物収納ケースの短手方向の長さより長く、
前記第一の溝及び前記第二の溝の長手方向と前記小物収納ケースの短手方向とが平行になるように前記小物収納ケースを前記貯蔵室ケースに収納する場合、
前記第一のフランジは前記第一の溝に挿入され、前記第二のフランジは前記第二の溝に挿入され、
前記第一の溝及び前記第二の溝の短手方向と前記小物収納ケースの短手方向が平行となるように前記小物収納ケースを前記貯蔵室ケースに収納する場合、
前記小物収納ケースは前記第一の溝に収納されることを特徴とする冷蔵庫。
【請求項２】
前記第一のフランジは前記第一の溝に挿入され、前記第二のフランジは前記貯蔵室ケースの前記第二の溝に挿入された状態において、
前記小物収納ケースは、短手方向に摺動可能であることを特徴とする請求項１に記載の冷蔵庫。
【請求項３】
前記小物収納ケースは、
短手方向の長さが７５ｍｍ以上であることを特徴とする請求項１又は請求項２に記載の冷蔵庫。
【請求項４】
前記小物収納ケースは、
第一の溝と第二の溝との間隔が異なる前記貯蔵室ケースのいずれにも収納可能であることを特徴とする請求項１〜請求項３のいずれか一項に記載の冷蔵庫。
【請求項５】
前記貯蔵室ケースとして、第一の貯蔵室ケースと、第二の貯蔵室ケースとを備え、
前記第一の貯蔵室ケースにおける前記第一の溝と前記第二の溝との間の長さは、前記第二の貯蔵室ケースにおける前記第一の溝と前記第二の溝との間の長さと異なることを特徴とする請求項４に記載の冷蔵庫。
【請求項６】
前記小物収納ケースとして、第一の小物収納ケースと、第二の小物収納ケースとを備え、
前記第一の小物収納ケースの長手方向の長さと前記第二の小物収納ケースの長手方向の長さが異なることを特徴とする請求項１〜請求項３のいずれか一項に記載の冷蔵庫。
【発明の詳細な説明】
【技術分野】
【０００１】
本発明は、貯蔵室ケースとその貯蔵室ケース内に設けられた小物収納ケースとを備える冷蔵庫に関するものである。
【背景技術】
【０００２】
貯蔵室ケースとその貯蔵室ケース内に設けられた小物収納ケースとを備える従来の冷蔵庫には、「開閉扉に設置され、上方に開口部を有する貯蔵室ケースと、前記貯蔵室ケース内に着脱自在に設置され、前記貯蔵室ケース内で巾方向あるいは奥行き方向に摺動自在でかつ上方に開口部を有する小物収納ケースと、を備え、・・・前記摺動方向の側壁全長を前記貯蔵室ケースの奥行き方向寸法あるいは巾方向寸法と略同等とした。」というものがある（例えば、特許文献１参照）。
また、「小物収納ケース１を仕切る仕切板２ｂを、小物収納ケース１の底面に配設される清掃用トレイ２ａと一体に成形する。」というものがある（例えば、特許文献２参照）。
また、「上部を開口した野菜収納容器３８に係合し左右方向に可動する仕切部１３を介して両側面部９ｃに接続したベルト１４を備えたベルト式可変サポータ１２で、ベルト１４に係合しながら可動仕切部１３とベルト１４で可変収納領域１６と他の領域１７を形成し、領域の大きさを自在に変えることで収納量に応じた貯蔵空間を提供する」というものがある（例えば、特許文献３参照）。
【先行技術文献】
【特許文献】
【０００３】
【特許文献１】特開２００４−３４０５４５号公報（要約、図３）
【特許文献２】特開平８−３０３９４２号公報（要約、図２）
【特許文献３】特開２００３−０３５４８９号公報（要約、図１）
【発明の概要】
【発明が解決しようとする課題】
【０００４】
特許文献１に示す冷蔵庫において、例えば小物収納ケースの長手方向を貯蔵室ケース内の奥行き方向と平行にして収納する場合、貯蔵室ケース底面内側の奥行き方向の凹凸形状は、小物収納ケースの底面外側の長手方向の凹凸形状に沿う形状になっている。しかしその場合、貯蔵室ケース幅方向と小物収納ケースの長手方向が平行となるように収納することを考慮した凹凸形状となっていない。そのため、貯蔵室ケース幅方向と小物収納ケースの長手方向が平行となるように収納した状態においては、小物収納ケースが奥行き方向に動いたり、倒れたりする場合があり、小物収納ケース設置の自由度が少ないという課題があった。さらに、貯蔵室ケースの奥行きと小物収納ケースの奥行き寸法がほぼ同等となっている。そのため、例えば奥行き違いの貯蔵室ケースにおいては、同じ小物収納ケースを使用出来ないため、奥行き方向の長さが違う別の小物収納ケース形状を製作しなければならず、コストアップになるという課題があった。
また、特許文献２に示す冷蔵庫においては仕切り板が貯蔵室ケースに設置してあるリブに挟み込む形状であるが、貯蔵室ケースのリブがある場所にしか仕切り板を設置出来ず、自由度がないという課題があった。
また、特許文献３に示す冷蔵庫においては、ベルトで貯蔵室ケースを区分けする仕様であるが、構造が複雑であるうえ、部品点数も多く、コストアップになるという課題があった。
【０００５】
本発明は、上記のような課題を解決するためになされたもので、第一の目的は、貯蔵室ケースとその貯蔵室ケース内に設けられた小物収納ケースとを備える冷蔵庫において、小物収納ケース設置位置の自由度が高い冷蔵庫を提供することを目的とする。
【０００６】
第二の目的は、貯蔵室ケースとその貯蔵室ケース内に設けられた小物収納ケースとを備える冷蔵庫において、２つの溝の間の長さが異なる貯蔵室ケースにおいても、同じ小物収納ケースを使用できるようにすることである。これにより、コストが低い冷蔵庫を提供することを目的とする。
【課題を解決するための手段】
【０００７】
本発明における冷蔵庫は、上部に開口している貯蔵室ケースと、上部に開口しており、前記貯蔵室ケースに収納される小物収納ケースとを備え、前記貯蔵室ケースは、底面内側に少なくとも第一の溝と第二の溝とを含む複数の溝がそれぞれ平行に形成されており、前記第一の溝は、前記貯蔵室ケースの一方の側面に沿って形成されており、前記小物収納ケースは、底面外側に少なくとも第一のフランジと第二のフランジとを含む複数のフランジが、短手方向に沿って形成されており、前記第一の溝の短手方向の長さは、前記小物収納ケースの短手方向の長さより長く、前記第一の溝及び前記第二の溝の長手方向と前記小物収納ケースの短手方向とが平行になるように前記小物収納ケースを前記貯蔵室ケースに収納する場合、前記第一のフランジは前記第一の溝に挿入され、前記第二のフランジは前記第二の溝に挿入され、前記第一の溝及び前記第二の溝の短手方向と前記小物収納ケースの短手方向が平行となるように前記小物収納ケースを前記貯蔵室ケースに収納する場合、前記小物収納ケースは前記第一の溝に収納されるものである。
【発明の効果】
【０００８】
本発明により、小物収納ケースのフランジを貯蔵室ケースの溝に挿入することで小物収納ケースを貯蔵室ケースに収納できる。そして、小物収納ケースを貯蔵室ケースの第一の溝に収納できるため、小物収納ケースの設置位置の自由度が高い冷蔵庫を得ることができる。
【図面の簡単な説明】
【０００９】
【図１】本発明の実施の形態における冷蔵庫である。
【図２】本発明の実施の形態における貯蔵室ケース１ａである。
【図３】本発明の実施の形態における小物収納ケース２である。
【図４】本発明の実施の形態における、小物収納ケース２を収納した状態の貯蔵室ケース１ａの一例を示す平面図である。
【図５】図４のＡ−Ａ断面図である。
【図６】図５のＢ部拡大図である。
【図７】図５のＣ部拡大図である。
【図８】本発明の実施の形態における、小物収納ケース２を収納した状態の貯蔵室ケース１ａの一例を示す平面図である。
【図９】図８のＢ−Ｂ断面図である。
【図１０】本発明の実施の形態における、小物収納ケース２を収納した状態の貯蔵室ケース１ｂの一例を示す平面図である。
【図１１】図１０のＣ−Ｃ断面図である。
【発明を実施するための形態】
【００１０】
以下、本発明における冷蔵庫の一例について、図面を用いて詳細に説明する。
【００１１】
実施の形態．
図１は、本発明の実施の形態における冷蔵庫１０であり、（ａ）は平面図、（ｂ）は正面図、（ｃ）は側面図、（ｄ）は斜視図を示している。図１に示すように、冷蔵庫１０に貯蔵室ケース１ａが引き出し可能な状態で設けられている。なお、貯蔵室ケース１ａの位置は、図１に示す位置でなくてもよい。
【００１２】
図２は、本発明の実施の形態における貯蔵室ケース１ａであり、（ａ）は平面図、（ｂ）は正面図、（ｃ）は側面図を示している。ここで、図２（ａ）の貯蔵室ケース１ａにおいて、紙面左右方向を幅方向とし、紙面上下方向を奥行き方向とする。
【００１３】
貯蔵室ケース１ａは、略直方体の形状であり、貯蔵室ケース１ａの上部は開口している。なお、貯蔵室ケース１ａは、蓋が設けられていてもよい。そして、貯蔵室ケース１ａの底面内側の奥行き方向の両端近傍に、幅方向に沿って溝４（本発明における第一の溝に相当）及び溝５（本発明における第二の溝に相当）が形成されている。ここで、幅方向に「沿って」とは、幅方向と略平行であるという意味であり、完全に平行であるとは限らない。なお、溝４及び溝５の位置は、底面内側の奥行き方向の両端近傍でなくても、例えば中央付近でもよい。
また、溝４及び溝５は、貯蔵室ケース１ａの底面内側の幅方向の両端近傍に、奥行き方向に沿って形成されていてもよい。ここで、奥行き方向に「沿って」とは、奥行き方向と略平行であるという意味であり、完全に平行であるとは限らない。
また、溝４は溝５よりも幅が広く、後述する小物収納ケース２の短手方向の幅より広くなっている。なお、溝の数は、少なくとも２本あればよく、必ずしも２本でなくてもよい。
【００１４】
図３は、本発明の実施の形態における小物収納ケース２であり、（ａ）は平面図、（ｂ）は正面図、（ｃ）は側面図を示している。
小物収納ケース２は、略直方体の形状であり、小物収納ケース２の上部は開口している。なお、小物収納ケース２は、蓋が設けられていてもよい。
図３（ｂ）に示すように、小物収納ケース２の底面外側の長手方向の両端に、短手方向と略平行にフランジ６とフランジ７が形成されている。なお、フランジ６とフランジ７の位置は必ずしも長手方向の両端でなくてもよく、例えば底面外側の中央付近でもよい。また、フランジの数は少なくとも２つあればよく、前記溝の数以下であればよい。
【００１５】
また、フランジ６とフランジ７は、例えば円筒型の凸部を複数連ねてフランジを形成したものでもよく、その場合、各凸部の間に間隔が空いていてもよい。いずれの形状でも、フランジ６は貯蔵室ケース１ａの溝４に挿入でき、フランジ７は貯蔵室ケース１ａの溝５に挿入できればよい。また、フランジ６を貯蔵室ケース１ａの溝５に挿入し、フランジ７を貯蔵室ケース１ａの溝４に挿入してもよい。
また、本発明における第一のフランジは、溝４（本発明における第一の溝に相当）に挿入されるフランジのことであり、本発明における第二のフランジは、溝５（本発明における第二の溝に相当）に挿入されるフランジのことである。
【００１６】
また、貯蔵室ケース１ａの溝４の幅は、小物収納ケース２の短手方向外側の長さＬ１ａより長い。これは、後述するように小物収納ケース２を貯蔵室ケース１ａの溝４に挿入できるようにするためである。
なお、小物収納ケース２の短手方向の長さＬ１ｂは、７５ｍｍ以上であることが望ましい。ここで、小物収納ケース２の短手方向の長さＬ１ｂとは、小物収納ケース２の内側における、短手方向の両側面間の長さである。この長さは、５００ｍｌのペットボトルが収納できる長さであり、ペットボトル内の液体を凍らせて体積が膨張しても収納できる余裕分を含む長さである。
【００１７】
また、小物収納ケース２の長手方向の長さＬ２は、貯蔵室ケース１ａの奥行き方向の長さより短い。これは、後述するように小物収納ケース２を、その長手方向が貯蔵室ケース１ａの奥行き方向と略平行となるように収納できるようにするためである。
【００１８】
図４は、本発明の実施の形態における、小物収納ケース２を収納した状態の貯蔵室ケース１ａの一例を示す平面図である。図４において、小物収納ケース２の長手方向が貯蔵室ケース１ａの奥行き方向と略平行となるように収納されている。また、図５は、図４のＡ−Ａ断面図である。また、図６は図５のＢ部拡大図であり、図７は図５のＣ部拡大図である。
【００１９】
図６に示すように、貯蔵室ケース１ａの溝４に小物収納ケースのフランジ６が挿入される。溝４の幅はフランジ６の幅より大きく、奥行き方向に隙間Ｌ３がある。そのため、後述するように、貯蔵室ケース１ａの奥行き方向の長さが違う貯蔵室ケースにおいても、同一の小物収納ケース２を用いることができる。
【００２０】
また、図７に示すように、貯蔵室ケース１ａの溝５に小物収納ケース２のフランジ７が挿入される。溝５とフランジ７の奥行き方向の隙間Ｌ４は短いため、小物収納ケース２は、例えば貯蔵室ケース１ａを冷蔵庫から引き出しても、奥行き方向へ移動したり、倒れることがない。
【００２１】
また、貯蔵室ケース１ａの溝５が、小物収納ケース２のフランジ７に対してレールとして作用し、小物収納ケース２を小物収納ケース２短手方向に摺動させることができる。これにより、様々なサイズの食品を収納したり、区画整理することができる。
【００２２】
図８は、本発明の実施の形態における、小物収納ケース２を収納した状態の貯蔵室ケース１ａの一例を示す平面図である。図８において、小物収納ケース２の短手方向が貯蔵室ケース１ａの奥行き方向と略平行になるように収納されている。また、図９は、図８のＢ−Ｂ断面図である。
前述したように、溝４の幅は、小物収納ケース２の短手方向の長さよりも長い。そのため、図８及び図９に示すように小物収納ケース２を溝４に収納することができる。これにより、小物収納ケース２が奥行き方向に移動したり、倒れることを防ぐことができる。
【００２３】
図１０は、本発明の実施の形態における、小物収納ケース２を収納した状態の貯蔵室ケース１ｂの一例を示す平面図である。図１０において、小物収納ケース２の長手方向が貯蔵室ケース１ｂの奥行き方向と略平行となるように収納されている。ここで、貯蔵室ケース１ｂは、図４で示した貯蔵室ケース１ａより奥行き方向の長さが長いものである。なお、貯蔵室ケース１ｂは、貯蔵室ケース１ａと同じ機種の冷蔵庫に設けられているものでもよいが、異なる機種の冷蔵庫に設けられているものでもよい。
【００２４】
図１１は、図１０のＣ−Ｃ断面図である。
図１１に示すように、図６の隙間Ｌ３と比べて隙間Ｌ５は小さいが、フランジ６を溝４に挿入できるため、小物収納ケース２は貯蔵室ケース１ｂに収納可能である。
ここで、貯蔵室ケースの大きさが異なる例を説明したが、小物収納ケースの大きさが異なる場合であってもよい。例えば、小物収納ケースの長手方向の長さが上記の小物収納ケース２の長手方向の長さより長くても、フランジ７を溝５に挿入した状態で、フランジ６を溝４に挿入できれば、図１０に示す例と同様に小物収納ケースを貯蔵室ケースに収納できる。
【００２５】
以上により、本発明における冷蔵庫は、小物収納ケースを貯蔵室ケースの第一の溝に収納できるため、小物収納ケースの設置位置の自由度が高く、収納のための複雑な構造や付属部品も不要である。そのため、食品を収納したり、区画整理することが容易にでき、コストが少ない冷蔵庫を得ることができる。
また、小物収納ケースのフランジを貯蔵室ケースの溝に挿入することで小物収納ケースを貯蔵室ケースに収納できる。そして、第一の溝と第一のフランジとの間の隙間は、第一の溝と第一のフランジとの間の隙間よりも広いため、貯蔵室ケースの大きさの自由度が高く、貯蔵室ケース毎に異なる小物収納ケースを用いる必要がない。そのため、食品を収納したり、区画整理することが容易にでき、コストが少ない冷蔵庫を得ることができる。
【符号の説明】
【００２６】
１ａ，１ｂ  貯蔵室ケース、２  小物収納ケース、４，５  溝、６，７  フランジ、Ｌ１ａ  小物収納ケース２の短手方向外側の長さ、Ｌ１ｂ  小物収納ケース２の短手方向の長さ、Ｌ２  小物収納ケース２の長手方向長さ、Ｌ３，Ｌ４，Ｌ５  隙間、１０  冷蔵庫。
【図１】
2011257048.tif 000003
【図２】
2011257048.tif 000004
【図３】
2011257048.tif 000005
【図４】
2011257048.tif 000006
【図５】
2011257048.tif 000007
【図６】
2011257048.tif 000008
【図７】
2011257048.tif 000009
【図８】
2011257048.tif 000010
【図９】
2011257048.tif 000011
【図１０】
2011257048.tif 000012
【図１１】
2011257048.tif 000013